(57)【要約】      （修正有）【課題】被写体像に所定の表示を選択的に重畳表示するためのカメラのファインダー表示装置を提供する。【解決手段】液晶表示パネルと、液晶表示パネルを駆動する第一駆動手段と、照明光源と、光源を駆動する第二駆動手段とからなり、液晶表示パネルには、単一の透明COM電極と複数の透明SEG電極が形成されている。透明COM電極と透明SEG電極の間に電位差が生じると非表示（透過）状態となり、生じないと表示（散乱）状態となるものである。第一駆動手段は、第一デューティ駆動と第二デューティ駆動とを繰り返して液晶表示パネルを駆動し、非表示状態では、第一・第二デューティ駆動の両方において電位差が生じるよう駆動され、表示状態では、第二デューティ駆動のみ電位差が生じるよう駆動され、発光表示状態では、第一デューティ駆動のみ電位差が生じるよう駆動されるとともに、第二デューティ駆動期間のみ光源を点灯する。【選択図】図１
2015145900.tif 000002
【特許請求の範囲】
【請求項１】
ファインダーの被写体像に所定の表示を選択的に重畳表示するためのカメラ（1）のファインダー表示装置であって、
少なくとも、液晶表示パネル（7）と、該液晶表示パネルを駆動する第一の駆動手段（15）と、前記液晶表示パネルの側面から照明光を投射する光源（11）と、該光源を駆動する第二の駆動手段（16）と、からなり、
前記液晶表示パネル（7）には、単一の透明COM電極（106）と複数の透明SEG電極（109）が形成されており、前記透明COM電極（106）と前記透明SEG電極（109）の間に所定の電位差が生じると非表示（透過）状態となり、所定の電位差が生じないと表示（散乱）状態となるものであって、
前記第一の駆動手段（15）は、前記液晶表示パネル（7）の一つの表示態様に対して、第一のデューティ駆動と第二のデューティ駆動を繰り返して前記液晶表示パネル（7）を駆動し、
前記液晶表示パネル（7）において非表示（透過）とする前記透明SEG電極（109）の範囲は、前記第一のデューティ駆動と前記第二のデューティ駆動の両方において所定の電位差が生じるよう駆動され、
前記液晶表示パネル（7）において表示（散乱）とする前記透明SEG電極（109）の範囲は、前記第二のデューティ駆動においてのみ所定の電位差が生じるよう駆動され、
前記液晶表示パネル（7）において発光表示（発光かつ散乱）とする前記透明SEG電極（109）の範囲は、前記第一のデューティ駆動においてのみ所定の電位差が生じるよう駆動されるとともに、前記第二のデューティ駆動の期間でのみ、前記第二の駆動手段（16）が前記光源（11）を点灯駆動する
ことを特徴とする
カメラ（1）のファインダー表示装置。
【請求項２】
前記液晶表示パネル（7）は、高分子分散型液晶パネルであることを特徴とする請求項１に記載のカメラ（1）のファインダー表示装置。
【請求項３】
前記第一のデューティ駆動と第二のデューティ駆動の繰り返し周波数は、30Hz以上であることを特徴とする請求項１又は請求項２に記載のカメラ（1）のファインダー表示装置。
【発明の詳細な説明】
【技術分野】
【０００１】
本発明は、カメラのファインダー情報表示装置に関し、特にファインダーの被写体像に液晶により情報を重畳表示するものに関するものである。
【背景技術】
【０００２】
従来、カメラのファインダー情報表示として被写体像に情報を重畳表示するものがある。このようなカメラのファインダー情報表示装置では、ファインダー光学系内に液晶表示パネルを搭載し、液晶表示パネルが透過状態の範囲では被写体像を観察可能とし、液晶表示パネルが散乱状態の範囲では、その範囲を情報表示そのものとして観察可能としている。重畳表示する情報は、AF（オートフォーカス）の測距点位置であったり、撮影視野のマスクであったりする。液晶表示パネルが部分的に非透過すなわち散乱状態となって情報表示がなされているときに、液晶表示パネルの側面から照明光を投射すると、情報表示部分で散乱させられた照明光の一部は接眼光学系に向かう。よって、情報の発光表示も実現できる。
【０００３】
しかしながら、情報表示の一部を選択的に照明することはできない。例えば、カメラのファインダー情報表示のうち、測距点の一部のみを発光させ、他の測距点や視野マスクは表示のみとして発光させない、という表示は不可能である。これを解決するための提案もなされている。
【０００４】
特許文献１には、領域により異なる材料層を液晶層内に作り込み、かつ回折格子機能を液晶パネル内に作り込み、さらに照明光が所定範囲のみを照射するようにコリメート光学系を用いるものが開示されている。
【先行技術文献】
【特許文献】
【０００５】
【特許文献１】特許第5218392号明細書
【発明の概要】
【発明が解決しようとする課題】
【０００６】
しかしながら、上述の特許文献に開示された従来技術では、以下のような点がある。
【０００７】
領域により異なる材料層を液晶層内に作り込み、かつ回折格子機能を液晶パネル内に作り込むため、液晶パネルの製造難易度が高く、高コストになってしまうこと。さらにコリメート光学系を用いて照明光が所定範囲のみを照射するようにしているので、照明可能範囲が限定され、任意の個所の表示を照明することができないこと。
【０００８】
そこで、本発明の目的は、液晶パネルの製造難易度を高めることなく、任意の個所の表示に対して、非表示・表示・発光表示の３つの状態に切換え可能とし、かつ同時にこれら３つの状態を取りうるようにしたカメラのファインダー表示装置を提供することである。
【課題を解決するための手段】
【０００９】
上記目的を達成するために、本発明は、
ファインダーの被写体像に所定の表示を選択的に重畳表示するためのカメラのファインダー表示装置であって、
少なくとも、液晶表示パネルと、該液晶表示パネルを駆動する第一の駆動手段と、前記液晶表示パネルの側面から照明光を投射する光源と、該光源を駆動する第二の駆動手段と、からなり、
前記液晶表示パネルには、単一の透明COM電極と複数の透明SEG電極が形成されており、前記透明COM電極と前記透明SEG電極の間に所定の電位差が生じると非表示（透過）状態となり、所定の電位差が生じないと表示（散乱）状態となるものであって、
前記第一の駆動手段は、前記液晶表示パネルの一つの表示態様に対して、第一のデューティ駆動と第二のデューティ駆動を繰り返して前記液晶表示パネルを駆動し、
前記液晶表示パネルにおいて非表示（透過）とする前記透明SEG電極の範囲は、前記第一のデューティ駆動と前記第二のデューティ駆動の両方において所定の電位差が生じるよう駆動され、
前記液晶表示パネルにおいて表示（散乱）とする前記透明SEG電極の範囲は、前記第二のデューティ駆動においてのみ所定の電位差が生じるよう駆動され、
前記液晶表示パネルにおいて発光表示（発光かつ散乱）とする前記透明SEG電極の範囲は、前記第一のデューティ駆動においてのみ所定の電位差が生じるよう駆動されるとともに、前記第二のデューティ駆動の期間でのみ、前記第二の駆動手段が前記光源を点灯駆動する
ことを特徴とする。
【発明の効果】
【００１０】
本発明によれば、液晶パネルの製造難易度を高めることなく、また、照明光の照射範囲を制約せずに、複数の表示それぞれを独立して非表示／表示／発光表示の３つの状態に設定できるような、カメラのファインダー表示装置を提供することができる。
【図面の簡単な説明】
【００１１】
【図１】本発明を適用したPDLC7とLED11の駆動概念図
【図２】本発明に用いるPDLC7の断面概略図
【図３（ａ）】本発明を適用したカメラ1のPDLC7の説明図
【図３（ｂ）】本発明を適用したカメラ1のPDLC7の説明図
【図４】本発明に用いるPDLC7の基本駆動波形図
【図５】本発明を適用したカメラ1のファインダー表示例
【図６】本実施例におけるカメラ1の撮影光軸縦断面図
【図７】本実施例におけるカメラ1の、PDLC7付近の平面略図
【図８】本実施例におけるカメラ1のブロック図
【発明を実施するための形態】
【００１２】
［実施例１］
以下、図１から図８を用いて、本発明の実施例としてのファインダー表示装置について説明する（同一要素は同一符号で説明する）。
【００１３】
図６は本実施例におけるカメラ1の撮影光軸縦断面図である。
【００１４】
被写体像は、撮影レンズ2を通過してカメラ1内部に入り、ハーフミラーであるメインミラー3でカメラ1上方に向けて反射される（メインミラー3を透過する被写体像は、サブミラー4で自動合焦装置5に導かれる）。さらにピント板6と液晶表示パネル（以降PDLC：Polymer Dispersed Liquid Crystalと称する）7を透過し、ペンタプリズム8で反射し、接眼光学系9を透過して撮影者の目に届くような構成になっている。PDLC7は、偏光板が不要で透過時の透過率が高いという特徴があり、カメラ1のファインダーに適用するのに適した液晶表示パネルである。
【００１５】
図７は本実施例におけるカメラ1の、PDLC7付近の平面略図である。
【００１６】
光源としてのLED11は、投射した光が導光板10を透過してPDLC7の側面から入射するように配置されている。
【００１７】
図８は本実施例におけるカメラ1のブロック図である。
【００１８】
電源電池12が装着されると電源回路13を経てマイコン14が起動する。マイコン14はカメラ1の動作を司っており、その一部として、上記PDLC7が、第一の駆動手段としてのPDLC駆動回路15を介して接続されており、上記LED11も、第二の駆動手段としてのLED駆動回路16を介して接続されている。マイコン14は、その他にも様々な回路（操作検出回路、画像処理回路、データ記録処理回路、他）にも接続されてカメラ1の回路を構成している。
【００１９】
図２は本発明に用いるPDLC7の断面概略図である。
【００２０】
PDLC7は、上ガラス101と下ガラス102の間に、液晶層103として、ポリマーネットワーク構造体104に液晶分子105を分散させたものが封入された構成となっている。上ガラス101の内面側（液晶層103に接する側）には透明COM電極106が形成されている。下ガラス102の内面側には、透明SEG配線107と絶縁コート層108と透明SEG電極109が積層されている。透明SEG配線107と透明SEG電極109とは、導通部110において絶縁コート層108を貫通して電気的に接続されている。PDLC7は、通常は図２のA1の範囲のように液晶分子105の方向が不規則になっており、光を散乱させて透過させない状態である。
【００２１】
透明COM電極106と透明SEG電極109の間に所定の電位差が生じると、図２のA2の範囲のように液晶分子105が電界方向に整列し、光を透過させる状態となる。従って、PDLC7をカメラ1のファインダーに適用する場合、使用者に被写体像を認識させる範囲は所定の電位差を生じさせて非表示（透過）状態とし、使用者に表示を認識させる範囲は所定の電位差を生じさせないようにして表示（散乱）状態として使用することになる。
【００２２】
このようなPDLC7に対して上記LED11を点灯すると、LED光は導光板10を経てPDLC7の側面から入射するが、非表示（透過）状態ではLED光も透過するため、ペンタプリズム8と接眼光学系9にはLED光は届かない。表示（散乱）状態では、LED光も散乱するため、ペンタプリズム8と接眼光学系9にLED光が届き、使用者はこれを発光表示状態と認識することができる。
【００２３】
図３は本発明を適用したカメラ1のPDLC7の説明図で、（a）はCOM信号結線図、（b）はSEG信号結線図である。なおこれらの結線図は、説明のために簡略化したものであり、実際の配線を示しているものではない。図５（a）に示すように、透明COM電極106は、に点鎖線で示したPDLC7のファインダー視野Sのほぼ全域を覆って形成されている。破線は、下ガラス側に形成された、後述する透明SEG電極109である。図５（b）に示すように、透明SEG電極109は、PDLC7による表示ごとに独立させられている（SEG-01〜SEG-11に接続されているもの）。さらに、透明SEG電極109は、カメラ1のファインダーにおいて常に非表示（透過）となる範囲にも設けられている（SEG-A〜SEG-Dに接続されているもの）。また、これらを合わせてPDLC7のファインダー視野Sのほぼ全域を覆っている。なお、図５（b）における実線は、先述の図４における透明SEG配線107を示している。
【００２４】
図４は本発明に用いるPDLC7の基本駆動波形図である。
【００２５】
上述のように、PDLC7は通常（電圧非印加時）は表示（散乱）状態であり、透明COM電極106と透明SEG電極109の間に所定の電位差（本実施例では2Vlcd）が生じると非表示（透過）状態となる。電位差が所定値に満たない場合は、電位差ゼロの時と同様に表示（散乱）状態のままである。また、液晶分子105は直流電圧を印加し続けると劣化してしまうため、以下説明するようなデューティ駆動を行う。
【００２６】
［１］．表示の状態によらず、透明COM電極106には、0〜＋Vlcdのパルス電圧を印加する。
【００２７】
［２］．非表示（透過）状態とする透明SEG電極109には、0〜−Vlcdの、上記［１］と同一周波数かつ同位相（COM：0のときSEG：0、COM：＋VledのときSEG：−Vled）のパルス電圧を印加する。このとき透明COM電極106／透明SEG電極109の間には2Vlcdの電位差が生じることになる。よって液晶分子105が電界方向に整列させられて非表示（透過）状態となる。
【００２８】
［３］．表示（散乱）状態とする透明SEG電極109には、0〜−Vlcdの、上記［１］と同一周波数かつ逆位相（COM：0のときSEG：−Vled、COM：＋VledのときSEG：0）のパルス電圧を印加する。このとき透明COM電極106／透明SEG電極109の間に生じる電位差はVledであって、2Vled未満である。よって液晶分子105が電界方向に整列させられず、表示（散乱）状態となる。
【００２９】
以降、本発明の特徴的な部分について詳細に説明する。
【００３０】
図１は本発明を適用したPDLC7とLED11の駆動概念図である。
【００３１】
本発明の第一の特徴は、図１において、PDLC7の駆動波形が、デューティ1とデューティ2の繰り返しとなっていることである。
【００３２】
本発明の第二の特徴は、LED11がPDLC7の駆動におけるデューティ2の期間にのみ点灯駆動され、デューティ1の期間では駆動されずに消灯していることである。
【００３３】
このPDLC7とLED11の駆動による、カメラ1のファインダーにおける状態について、より詳しく説明する。
【００３４】
Ｉ  非表示（透過）状態となる範囲：
デューティ1の期間とデューティ2の期間ともに透明COM電極106／透明SEG電極109の間に2Vlcdの電位差が生じるように駆動を行う（上記［１］＋［２］）。2Vlcdの電位差があるため、PDLC7の透明SEG電極109の部分は非表示（透過）状態となる。なお、デューティ1の期間とデューティ2の期間のいずれにおいても、透明SEG電極109の範囲は非表示（透過）状態であるので、デューティ2の期間にLED11が点灯させられても、この範囲が照明されることはない。よって、カメラ1のファインダーにおける状態としては非表示状態となり、被写体像を観察することができる。
【００３５】
II  表示（散乱）状態となる範囲：
デューティ1の期間では、透明COM電極106／透明SEG電極109の間に2Vledの電位差が生じないように駆動を行う（上記［１］＋［３］）。デューティ2の期間では、透明COM電極106／透明SEG電極109の間に2Vlcdの電位差が生じるように駆動を行う（上記［１］＋［２］）。PDLC7は、デューティ1の期間では表示（散乱）状態となり、デューティ2の期間では非表示（透過）状態となる。このデューティ1の期間とデューティ2の期間の繰り返し周波数を、人間が識別できない程度に高めることで、使用者にはちらつき感なく表示（散乱）状態として観察される。デューティ2の期間では、透明SEG電極109の範囲は非表示（透過）状態であるので、デューティ2の期間にLED11が点灯させられても、この範囲は照明されずにデューティ1の期間の表示のみがされた状態となる。よって、カメラ1のファインダーにおける状態としては表示状態となり、透明SEG電極109による表示を観察することができる。
【００３６】
III 発光表示（照明＋散乱）状態となる範囲：
デューティ1の期間では、透明COM電極106／透明SEG電極109の間に2Vlcdの電位差が生じるように駆動を行う（上記［１］＋［２］）。デューティ2の期間では、透明COM電極106／透明SEG電極109の間に2Vledの電位差が生じないように駆動を行う（上記［１］＋［３］）。PDLC7は、デューティ1の期間では非表示（透過）状態となり、デューティ2の期間では表示（散乱）状態となる。このデューティ1の期間とデューティ2の期間の繰り返し周波数は上述のIIと同一である。デューティ2の期間では、透明SEG電極109の範囲は表示（散乱）状態であるので、デューティ2の期間にLED11が点灯させられると、この範囲はこの照明光も散乱する。LED11の点灯／消灯の周波数は、上述のようにデューティ1の期間とデューティ2の期間の繰り返し周波数と同一であるので、使用者にはちらつき感なく観察される。よって、カメラ1のファインダーにおける状態としては発光表示状態となり、透明SEG電極109による表示が発光した状態で観察することができる。
【００３７】
以上のPDLC7をカメラ1のファインダーに適用した具体例を、図５に示す。無印部は非表示（透過）状態、斜線部は表示（散乱）状態、塗りつぶし部は発光表示（発光かつ散乱）状態を示す。これら三種の状態は、それぞれ以下のようにして実現される。
【００３８】
ｉ非表示（透過）状態：先述のIの駆動を行う
ii表示（散乱）状態：先述のIIの駆動を行う
iii発光表示（発光かつ散乱）状態：先述のIIIの駆動を行う
図５の各状態は、以下のようなカメラの状態を想定している。
【００３９】
（a）撮影画面のアスペクト比が3:2、自動合焦装置5の測距点選択がオート。この設定の際には、視野マスク表示は非表示（透過）状態で、測距点表示は全3点が表示（散乱）状態となる。図３（b）のSEG−A〜Dが非表示（透過）状態であることは言うまでもない。使用者は、ファインダーの被写体像を観察し、主被写体と測距点が一致するように構図を決定すればよい。
【００４０】
（b）撮影画面のアスペクト比が16:3、自動合焦装置5の測距点選択が中央1点選択。この設定の際には、視野マスク表示は、上下と四隅が表示（散乱）状態かつ左右は非表示（透過）状態で、測距点表示は、中央1点が表示（散乱）状態かつ左右は非表示（透過）状態となる。図３（b）のSEG−A〜Dが非表示（透過）状態であることは言うまでもない。使用者は、ファインダーの視野マスク表示で隠されない被写体像を観察し、主被写体が中央1点の測距点と一致するように構図を決定すればよい。
【００４１】
（c）撮影画面のアスペクト比が4:3、自動合焦装置5の測距点選択が左1点選択で、合焦した状態。この設定の際には、視野マスク表示は、左右と四隅が表示（散乱）状態かつ上下は非表示（透過）状態で、測距点表示は、左1点が発光表示（発光かつ散乱）状態かつ中央と右は非表示（透過）状態となる。図３（b）のSEG−A〜Dが非表示（透過）状態であることは言うまでもない。本図は使用者がピント合わせのために自動合焦装置5によるピント合わせを行った後の状態を示している。使用者は、左1点の測距点のみが発光表示（発光かつ散乱）となっていることで、ピント合わせが正しく行われたことを明確に認識することができる。
【００４２】
（d）撮影画面のアスペクト比が3:2、自動合焦装置5の測距点選択がオートで、右測距点に合焦した状態。この設定の際には、視野マスク表示は非表示（透過）状態で、測距点表示は、右1点が発光表示（発光かつ散乱）状態かつ中央と左は非表示（透過）状態となる。図３（b）のSEG−A〜Dが非表示（透過）状態であることは言うまでもない。本図は使用者がピント合わせのために自動合焦装置5によるピント合わせを行った後の状態を示している。使用者は、右1点の測距点のみが発光表示（発光かつ散乱）で他の2点の測距点が発光しない表示（散乱）状態となっていることで、全3点の測距点のうち右1点の測距点にピント合わせが行われたことを明確に認識することができる。
【００４３】
以上、本発明の好ましい実施形態について説明したが、本発明はこれらの実施形態に限定されず、その要旨の範囲内で種々の変形及び変更が可能である。
【符号の説明】
【００４４】
1：カメラ
2：撮影レンズ        3：メインミラー             4：サブミラー、
5：自動合焦装置             6：ピント板
7：液晶表示パネル（PDLC）
8：ペンタプリズム
9：接眼光学系
10：導光板
11：LED
12：電源電池
13：電源回路
14：マイコン
15：PDLC駆動回路
16：LED駆動回路
101：上ガラス
102：下ガラス
103：液晶層
104：ポリマーネットワーク構造体
105：液晶分子
106：透明COM電極
107：透明SEG配線
108：絶縁コート層
109：透明SEG電極
110：導通部
【図１】
2015145900.tif 000003
【図２】
2015145900.tif 000004
【図３（ａ）】
2015145900.tif 000005
【図３（ｂ）】
2015145900.tif 000006
【図４】
2015145900.tif 000007
【図５】
2015145900.tif 000008
【図６】
2015145900.tif 000009
【図７】
2015145900.tif 000010
【図８】
2015145900.tif 000011